(57)【要約】  【課題】停電からの復帰時に誤って必要ない機器までペアリングせずに、また、送信機や受信機に送信電力や受信感度を低減させる回路を付加しないで、かつ、エンドユーザーでも簡単にＩＤ設定操作が可能な無線送受信機を備えた無線通信システムを提供する。  【解決手段】親機は、ＩＤ設定許可データを送信し、同データを受信した子機は、特定操作により親機のＩＤをペアリング対象と認識し、子機は予め記憶していたリモコン側のＩＤ（共通ＩＤ）を含むＩＤ設定依頼データを親機に送信し、これを受信した親機は対応する子機をペアリング対象として認識する。【選択図】図７
2008211706.tif 000002
【特許請求の範囲】
【請求項１】
電波によりデータを送受信する親機と、電波によりデータを送受信し、操作を受け付ける子機操作部を備えてなる子機とで無線通信システムを構成し、
前記親機と前記子機とが共通のＩＤを認識するためのペアリングを行なう時、
前記親機は、ＩＤ設定許可データを送信し、同データを受信した前記子機は、前記子機操作部での特定操作により前記親機をペアリング対象と認識し、前記親機へ前記子機のＩＤを含むＩＤ設定依頼データを送信し、同データを受信した前記親機は、前記子機をペアリング対象と認識すると共に、受信した前記子機のＩＤを前記共通のＩＤと認識してなることを特徴とする無線通信システム。
【請求項２】
電波によりデータを送受信する親機と、電波によりデータを送受信し、操作を受け付ける子機操作部を備えてなる子機とで無線通信システムを構成し、
前記親機と前記子機とが共通のＩＤを認識するためのペアリングを行なう時、
前記親機は、同親機のＩＤを含むＩＤ設定許可データを送信し、同データを受信した前記子機は、前記子機操作部での特定操作により前記親機をペアリング対象と認識すると共に、受信した前記親機のＩＤを前記共通のＩＤと認識し、前記親機へＩＤ設定依頼データを送信し、同データを受信した前記親機は、前記子機をペアリング対象と認識してなることを特徴とする無線通信システム。
【請求項３】
電波によりデータを送受信する親機と、電波によりデータを送受信し、操作を受け付ける子機操作部を備えてなる子機とで無線通信システムを構成し、
前記親機と前記子機とがペアリングを行なう時、
前記親機は、同親機のＩＤを含むＩＤ設定許可データを送信し、同データを受信した前記子機は、前記子機操作部での特定操作により前記親機のＩＤをペアリング対象と認識し、前記親機のＩＤを持つ同親機へ前記子機のＩＤを含むＩＤ設定依頼データを送信し、同データを受信した前記親機は、前記子機のＩＤをペアリング対象と認識してなることを特徴とする無線通信システム。
【請求項４】
前記親機に操作を受け付ける親機操作部を備えてなり、
前記親機は同親機に電源が投入され、かつ、前記電源が投入される以前に前記親機操作部での特定操作が実施されていた場合に、前記ＩＤ設定許可データを送信してなることを特徴とする請求項１乃至請求項３のいずれかに記載の無線通信システム。
【請求項５】
前記親機は前記ＩＤ設定許可データを、前記子機のＩＤをペアリング対象と認識するまで繰り返して送信してなることを特徴とする請求項１乃至請求項４のいずれかに記載の無線通信システム。
【請求項６】
前記親機に親機表示部を設けてなり、
前記親機は乱数を用いて算出した確認コードを前記親機表示部に表示させると共に、前記ＩＤ設定許可データに含めて送信し、
前記子機は、受信した前記ＩＤ設定許可データの前記確認コードと、前記子機操作部での特定操作により入力した入力コードとが一致した時、前記ＩＤ設定依頼データに前記入力コードを付加して送信し、同データを受信した前記親機は、前記ＩＤ設定依頼データの前記入力コードと前記確認コードとが一致した時、前記子機のＩＤをペアリング対象と認識してなることを特徴とする請求項３乃至請求項５のいずれかに記載の無線通信システム。
【請求項７】
前記親機は前記ＩＤ設定許可データを間欠的に送信してなることを特徴とする請求項１乃至請求項６のいずれかに記載の無線通信システム。
【発明の詳細な説明】
【技術分野】
【０００１】
本発明は、ＩＤ（IDentifier Number ）により識別される複数の無線送受信機を備えた無線通信システムに係わり、より詳細には、ＩＤを設定して交信相手を特定するペアリング機能に関する。
【背景技術】
【０００２】
従来、ＩＤ（又はアドレスなど）を備えた複数の無線送受信機からなる無線通信システムでは、交信相手を特定するために装置内にスイッチを備えており、スイッチで設定されるＩＤのデータを互いに送受信し、自装置内のＩＤ（スイッチの状態）と、受信したＩＤのデータが一致した場合のみ続けて交信を行うようになっていた。
【０００３】
また、同一のサービス・エリア内に微弱電波を利用した複数台の無線伝送装置および受信機を利用する場合において、従来のＩＤ（アドレス）設定スイッチを用いる事なく無線伝送装置および受信機を実現することにより、小型で安価な無線伝送装置を実現するとともにアドレス設定に費やされる作業工数を軽減することのできる無線伝送装置および受信機を提供する構成が提示されている。
【０００４】
例えば、送信機のマイクロコンピュータに内蔵されるＥＰ−ＲＯＭに送信アドレス情報を記憶する送信アドレス記憶手段により、従来のアドレス（ＩＤ）スイッチを不要とする。さらに、受信機の電源投入後、最初に受信機に送られる特定の送信機からの送信アドレスを受信機の受信アドレス情報とする受信アドレス登録手段により、受信機のアドレス設定を自動化できるので、受信アドレス設定スイッチを不要とし、さらに送信アドレスと受信アドレスを一致させるために行うアドレス設定作業も不要としている（例えば、特許文献１参照。）。
【０００５】
この方法は簡単であるが、アドレス設定を行なう機器以外の機器が近くに存在すると、必要でないこれらの機器にまでアドレスを設定してしまう場合がある。また、電源が投入されてから最初に受信した受信アドレスを登録するため、例えば停電の後で電源が復旧したとき、意図しない機器にアドレスが設定されてしまう場合があった。
【０００６】
一方、この問題を解決したものとして図９に示すように、自動車のドアのロック、アンロック動作などを行うための遠隔操作装置のＩＤ設定時だけ、故意に受信機の受信感度を低下させ、ＩＤを送信する機器に近接した受信機のみＩＤ設定の対象にする方法も開示されている。
【０００７】
この遠隔制御装置は、車両の所有者が携帯する送信器と、車両側に取り付けられた受信装置２０とから構成され、送信器は、ロックスイッチ及びアンロックスイッチが設けられた操作部と、ＩＤコード及び指令情報等のデータを記憶している第１メモリと、ロックスイッチ又はアンロックスイッチの何れかがオン操作されると第１メモリからＩＤコード、指令情報等のデータを読み取って、通信データを作成する第１ＣＰＵと、第１ＣＰＵから通信データの供給を受ける信号出力回路及びその信号出力回路からの通信データを電波として出力する送信部とで構成されている。
【０００８】
これによって、第１ＣＰＵは、ロックスイッチ又はアンロックスイッチが押下されたことを検知すると、第１メモリから、ＩＤコードを読み取ると共に、押圧されたスイッチに対応するドアロック、又はアンロックを示す指令情報とを読み取り、それを基にして通信データを作成して信号出力回路及び送信部を介して送信器から受信装置２０側に電波で送信する。
【０００９】
一方、受信装置２０は車両側に設けられており、送信器の送信部から送信されてくる通信データを受信する一方で、後述の受信感度調整回路２６から感度低下を指示する信号の供給を受けると、その信号を受けている間、通常時の感度よりも受信感度を低下せしめる受信部２１と、該受信部２１から出力される通信データの波形整形等を行う信号入力回路２２と、ＩＤコード登録機能と通常動作機能とを択一的に選択して切り替えるための機能切替スイッチ２５と、該信号入力回路２２及び機能切替スイッチ２５からの信号を入力して、後述の受信感度調整回路２６と駆動回路２９に信号を供給する第３ＣＰＵ２４とを備えている。また、第３ＣＰＵ２４に接続された第２メモリ２３も備えられている。なお、駆動回路２９はドアロック、アンロック機構を作動させるアクチュエータ２８を駆動する。
【００１０】
第３ＣＰＵ２４は、機能切替スイッチ２５が通常機能を選択、例えばオフ状態にされていると、受信感度調整回路２６に調整を指示する信号の出力はせずに、信号入力回路２２から通信データを受けると、その通信データに含まれるＩＤコードを抽出し、そのＩＤコードと第２メモリ２３に記憶されている登録ＩＤコードとを照合して、一致した場合には、正規の送信器１であるとして判断して通信データから制御指令を抽出し、その制御指令に相当する制御信号を作成して出力する。
【００１１】
また、機能切替スイッチ２５がＩＤコード登録機能を選択、例えばオン状態にされていると、受信感度調整回路２６に対して調整を指示する信号の出力を行い、受信部２１の受信感度を低下させた時に信号入力回路２２から通信データを受けると、その通信データに含まれるＩＤコードを抽出し、それを登録ＩＤコードとして第２メモリ２３に記憶する構成になっている（例えば、特許文献２参照。）。
【００１２】
さらに、最近の無線ＬＡＮなどでは、複数の受信機を同時に１つの親機とリンクするために、子機の受信機でなく親機送信機の送信電力を、ＩＤ設定時のみ低下させる構成も実施されている。これは、特許文献２の考え方と同じである。
【００１３】
しかしながら、特許文献１の方法では設定対象機器が近接している場合、停電からの復帰時に、誤って必要ない機器までペアリングしてしまう問題があり、特許文献２の方法では、送信機や受信機に送信電力や受信感度を低減させる回路が必要であり、コストアップとなっていた。
【特許文献１】特開平５−２８４５６７号公報（第３−４頁、図３）
【特許文献２】特開２００２−１８０７１８号公報（第３−４頁、図１）
【発明の開示】
【発明が解決しようとする課題】
【００１４】
本発明は以上述べた問題点を解決し、停電からの復帰時に誤って必要ない機器までペアリングせずに、また、送信機や受信機に送信電力や受信感度を低減させる回路を付加しないで、かつ、エンドユーザーでも簡単にＩＤ設定操作が可能な無線送受信機を備えた無線通信システムを提供することを目的とする。
【課題を解決するための手段】
【００１５】
本発明は上述の課題を解決するため、電波によりデータを送受信する親機と、電波によりデータを送受信し、操作を受け付ける子機操作部を備えてなる子機とで無線通信システムを構成し、
前記親機と前記子機とが共通のＩＤを認識するためのペアリングを行なう時、
前記親機は、ＩＤ設定許可データを送信し、同データを受信した前記子機は、前記子機操作部での特定操作により前記親機をペアリング対象と認識し、前記親機へ前記子機のＩＤを含むＩＤ設定依頼データを送信し、同データを受信した前記親機は、前記子機をペアリング対象と認識すると共に、受信した前記子機のＩＤを前記共通のＩＤと認識するように構成する。
【００１６】
もしくは、電波によりデータを送受信する親機と、電波によりデータを送受信し、操作を受け付ける子機操作部を備えてなる子機とで無線通信システムを構成し、
前記親機と前記子機とが共通のＩＤを認識するためのペアリングを行なう時、
前記親機は、同親機のＩＤを含むＩＤ設定許可データを送信し、同データを受信した前記子機は、前記子機操作部での特定操作により前記親機をペアリング対象と認識すると共に、受信した前記親機のＩＤを前記共通のＩＤと認識し、前記親機へＩＤ設定依頼データを送信し、同データを受信した前記親機は、前記子機をペアリング対象と認識するように構成する。
【００１７】
もしくは、電波によりデータを送受信する親機と、電波によりデータを送受信し、操作を受け付ける子機操作部を備えてなる子機とで無線通信システムを構成し、
前記親機と前記子機とがペアリングを行なう時、
前記親機は、同親機のＩＤを含むＩＤ設定許可データを送信し、同データを受信した前記子機は、前記子機操作部での特定操作により前記親機のＩＤをペアリング対象と認識し、前記親機のＩＤを持つ同親機へ前記子機のＩＤを含むＩＤ設定依頼データを送信し、同データを受信した前記親機は、前記子機のＩＤをペアリング対象と認識する。
【００１８】
さらに、前記親機に操作を受け付ける親機操作部を備えてなり、
前記親機は同親機に電源が投入され、かつ、前記電源が投入される以前に前記親機操作部での特定操作が実施されていた場合に、前記ＩＤ設定許可データを送信する。
【００１９】
また、前記親機は前記ＩＤ設定許可データを、前記子機のＩＤをペアリング対象と認識するまで繰り返して送信する。
【００２０】
さらに、前記親機に親機表示部を設けてなり、
前記親機は乱数を用いて算出した確認コードを前記親機表示部に表示させると共に、前記ＩＤ設定許可データに含めて送信し、
前記子機は、受信した前記ＩＤ設定許可データの前記確認コードと、前記子機操作部での特定操作により入力した入力コードとが一致した時、前記ＩＤ設定依頼データに前記入力コードを付加して送信し、同データを受信した前記親機は、前記ＩＤ設定依頼データの前記入力コードと前記確認コードとが一致した時、前記子機のＩＤをペアリング対象と認識する。
【００２１】
また、前記親機は前記ＩＤ設定許可データを間欠的に送信する。
【発明の効果】
【００２２】
以上の手段を用いることにより、本発明による無線送受信機によれば、
請求項１と請求項２とに係わる発明は、親機がＩＤ設定許可データを送信し、かつ、子機側で特定操作でのＩＤを設定することが必要であり、意図しないでＩＤが書き換えられることがない。また、子機側の操作としては特定キーの押下のみであり、親機や子機のＩＤを直接入力しなくても、親機と子機とが共通に使用する共通ＩＤを簡単に機器へ設定できる。
【００２３】
また、親機と子機とが共通に使用する共通ＩＤを使用するため、子機、又は、親機のいずれか一方にＩＤをこれらの生産時に格納していればよく、機器の生産時に手間がかかるＩＤ管理をいづれか一方だけ行なえばよいため管理コストを低減できる。
【００２４】
請求項３に係わる発明は、親機がＩＤ設定許可データを送信し、かつ、子機側で特定操作でのＩＤを設定することが必要であり、意図しないでＩＤが書き換えられることがない。また、子機側の操作としては特定キーの押下のみであり、親機や子機のＩＤを直接入力しなくても、簡単に両方のＩＤをそれぞれ設定できる。
【００２５】
請求項４に係わる発明は、親機に電源が投入され、かつ、親機操作部での特定操作が実施されていた場合に、ＩＤ設定許可データを送信するので、停電からの復帰時に意図しないでＩＤが書き換えられることがない。
【００２６】
請求項５に係わる発明は、親機はＩＤ設定許可データを、子機のＩＤをペアリング対象と認識するまで繰り返して送信するので、子機側操作とのタイミングが取り易く、子機の操作が簡単である。また、ペアリング対象と認識した後はＩＤ設定許可データの送信を中止するので、誤って再度、他の機器とペアリングを行なうことを防止できる。
【００２７】
請求項６に係わる発明は、子機と親機とは、親機が生成するランダムな確認コードを互いに確認してＩＤ設定を行なうので、親機と子機とが電波の届く範囲内に複数存在したとしても、正確なペアリングを行なうことができる。
【００２８】
請求項７に係わる発明は、親機がＩＤ設定許可データを間欠的に送信するので、親機と子機とが同一周波数の電波の届く範囲内に複数存在したとしても、互いの送信電波が混信するタイミングを減らすことができ、ＩＤ設定処理をスムースに行なうことができる。
【発明を実施するための最良の形態】
【００２９】
以下、本発明の実施の形態を、添付図面に基づいた実施例として詳細に説明する。この実施例では空気調和機の室内機（親機）と、この空気調和機を制御する無線リモコン（子機）とのＩＤを一致させる構成と方法を説明する。なお、室内機の一般的な構成と動作については、その図示と説明を省略する。また、室内機が送信する電波の周波数と、無線リモコンが送信する電波の周波数とは異なるものとして説明する。
【実施例１】
【００３０】
図１（Ａ）は室内機に備えられた制御ブロックを示す要部ブロック図である。
【００３１】
この室内機は、図示しない無線リモコンへ電波を送信する親機送信部２と、無線リモコンからの電波を受信する親機受信部３と、これらに接続されたアンテナ１と、空気調和機の状態を表示する親機表示部４と、室内機に備えられた強制運転スイッチの状態を読み取る親機操作部６と、親機のＩＤや子機のＩＤなどを記憶する親機記憶部７と、親機送信部２と親機受信部３と親機表示部４と親機操作部６と親機記憶部７とに接続され、これら全体を制御する親機制御部５とで構成されている。
【００３２】
なお、室内機全体を制御する制御部などは記載を省略しているが、親機制御部５がこの制御部と兼用されていてもよいし、親機制御部５がこの制御部と独立して存在し、シリアル通信などで結ばれていてもよい。いずれの場合も、室内機全体を制御する制御部は親機制御部５を介して無線リモコンとデータの送受が可能に構成されている。
【００３３】
親機送信部２は、親機制御部５から送られる送信データ（フレーム）を所定の周波数の電波で無線リモコンへ送信する。一方、親機受信部３は、無線リモコンから送信される所定の周波数の電波を受信し、復調した受信データ（フレーム）を親機制御部５へ出力する。
【００３４】
親機表示部４は、例えば図６の室内機の要部説明図に示すように、室内機の前面下方付近に配置されたＬＥＤによる温度の数値表示や、フィルタの清掃ランプ、電源ランプなどで構成されている。一方、親機操作部６は、親機表示部４に隣接して配置されており、無線リモコンが使用できない時に使用する強制運転スイッチ（スライドスイッチ）である。このスイッチは中央で運転の停止となり、上方にスライドすると冷房運転が、下方にスライドすると暖房運転が、それぞれ実行されるようになっている。
【００３５】
親機記憶部７には交信相手（空気調和機の操作指令を発する無線リモコン）のＩＤが格納され、この相手以外とは交信しないようになっている。なお、交信相手のＩＤは室内機の製造時点では格納されておらず、室内機の設置時に相手先の無線リモコンから送信されたＩＤ（共通ＩＤ）を取り込んで格納する。
【００３６】
親機制御部５は以上説明した各部を制御すると共に、室内機の電源供給状態、例えば空気調和機のＡＣ電源プラグがコンセントに差し込まれた、もしくは、停電から復帰したことを認識できるようになっている。
【００３７】
次に、図１（Ｂ）に示す無線リモコンの要部ブロック図を用いて、無線リモコンの構成を説明する。
【００３８】
この無線リモコンは、図示しない室内機へ電波を送信する子機送信部１２と、室内機からの電波を受信する子機受信部１３と、これらに接続されたアンテナ１１と、空気調和機への設定状態を表示する子機表示部１４と、無線リモコンに備えられた操作キーの状態を読み取る子機操作部１６と、予め定められた子機のＩＤ（共通ＩＤ）を記憶する子機記憶部１７と、子機送信部１２と子機受信部１３と子機表示部１４と子機操作部１６と子機記憶部１７とに接続され、無線リモコン全体を制御する子機制御部１５とで構成されている。
【００３９】
子機送信部１２は、子機制御部１５から送られる送信データ（フレーム）を所定の周波数の電波で室内機へ送信する。一方、子機受信部１３は、室内機から送信される所定の周波数の電波を受信し、復調した受信データ（フレーム）を子機制御部１５へ出力する。
【００４０】
子機表示部１４は、例えば図５の無線リモコンの正面図に示すように、無線リモコンの正面上部付近に配置された液晶パネルを備えており、設定温度の数値表示や、暖房／冷房／除湿などの運転モードを表示するようになっている。
【００４１】
一方、子機操作部１６は、子機表示部１４の下方に配置されたキー操作部を備えており、このキー操作部内に配置された電源キー／設定モードキー／運転モード選択キー／温度設定キーを押下することにより、空気調和機を操作するようになっている。
【００４２】
また、子機操作部１６は、後述するＩＤ設定モードのための操作を行なうようになっている。通常の空気調和機の操作ではあり得ない操作、例えば、設定キーと運転モードキーとを同時に押下するとＩＤ設定モードへ移行するようになっている。このＩＤ設定モード中は電源キー以外が通常操作とは別の機能として働く。なお、この別の機能については、図４において、各キー名称の下に括弧表記で記載する。
【００４３】
子機記憶部１７には無線リモコンで使用される子機のＩＤが、無線リモコンの製造時点で格納されている。この子機のＩＤは他の機器と区別するためのものであり、他の機器と重複しない番号や記号のデータで構成されている。なお、この子機のＩＤは後述するペアリングが行なわれると、親機にも同じものが格納され、以後、このＩＤを親機と子機とのペアでの共通ＩＤとして用いられ、送信データにこのＩＤがないものは受信時に無視される。
【００４４】
子機制御部１５は以上説明した各部を制御すると共に、子機操作部１６で入力した操作キーに従って子機表示部１４に表示したり、キー操作によって指定された設定温度や運転モード、電源のオン／オフなどをデータに変換し、子機送信部１２を介して室内機へ送信する。
【００４５】
図３は室内機と無線リモコンが送信するデータ（送信フレーム）の構成を説明する説明図である。各フレームは先頭から順に、フレーム種別、共通ＩＤが配置されている。また、図３（Ａ）は室内機の送信フレームを、図３（Ｂ）は無線リモコンの送信フレームをそれぞれ示すＩＤ設定時の送信データである。
【００４６】
また、図３（Ｃ）は室内機の送信フレームを、図３（Ｄ）は無線リモコンの送信フレームをそれぞれ示す通常操作時の送信データである。
【００４７】
図３（Ａ）の室内機の送信フレームは、ＩＤ設定に先立って無線リモコンに対してＩＤ設定を許可するＩＤ設定許可コマンドであり、フレーム種別が『ＩＤ設定許可』、共通ＩＤ『なし』になっている。
【００４８】
図３（Ｂ）の無線リモコンの送信フレームは、室内機に対して無線リモコンのＩＤ設定を依頼するＩＤ設定依頼コマンドであり、フレーム種別が『ＩＤ設定依頼』、共通ＩＤが『無線リモコンのＩＤ』になっている。
【００４９】
この送信フレームを受け取った室内機は、無線リモコンのＩＤをこの親機と子機とのペアで共通のＩＤとして親機記憶部へ格納し、以後の通常動作での通信においては、このＩＤを持つ無線リモコンとのみ交信を行い、これ以外のＩＤについては無視する。
【００５０】
図３（Ｃ）の室内機の送信フレームは、通常の空気調和機の運転において無線リモコンへ機器の状態、例えば現在の室温や外気温、湿度などを無線リモコンへ伝える状態通知コマンドであり、フレーム種別が空気調和機の状態変化を伝える『状態更新』、共通ＩＤが無線リモコンのＩＤになっている。付加データは更新された『状態データ』である。この送信フレームを受け取った無線リモコンは、受信した『状態データ』を無線リモコンの表示エリアに所定のフォーマットで表示する。
【００５１】
図３（Ｄ）の無線リモコンの送信フレームは、無線リモコンのキー操作部で指定された空気調和機の運転指示を室内機に対して指示する機器制御コマンドであり、フレーム種別が『運転指示』、共通ＩＤが『無線リモコンのＩＤ』になっている。また、付加データは指示された『運転データ』である。
【００５２】
この送信フレームを受け取った室内機は、『運転データ』の内容に従って空気調和機を運転する。
【００５３】
次に、以上説明した室内機と無線リモコンとを用いて、互いのＩＤを設定する方法を図２の通信説明図を用いて説明する。図２（Ａ）はＩＤ設定時の通信の流れを、図２（Ｂ）はＩＤ設定を行なわない場合の流れをそれぞれ示している。なお、これらの図は共に室内機の電源コードが電源コンセントへ差し込まれた、もしくは、差し込まれた電源コードにＡＣ電源が供給された時を示している。ＡＣ電源が供給され続けている場合はＩＤ設定を行なうことができないようになっている。これは、不用意にＩＤが書き換えられることを防止するためである。
【００５４】
図２では左側が無線リモコン側の処理の流れを示し、右側が室内機側の処理の流れを示している。各側において上から下方向が時間の経過を示しており、左右への矢印が電波によるフレームの送信と送信方向とを示している。また、図２では本願の基本的なタイミング例を示しており、ＡＣ電源が供給された時にはＩＤ設定許可コマンドを送信するようになっている。
【００５５】
ただし、後述する室内機側でのＡＣ電源供給前の特定操作実施を確認することにより、図２（Ｂ）に示す通常動作モードでのＡＣ電源投入時に、無駄なＩＤ設定許可コマンドの送信を抑止することができる。
【００５６】
図２（Ａ）において室内機では室内機に電源が供給されると、室内機は、図３（Ａ）で説明したＩＤ設定許可コマンドのフレームを送信する。このフレームは間欠的に一定時間、例えば１秒おきに１０分間送信される。従って無線リモコン側ではこの間にＩＤ設定操作を行なう必要がある。もし、１０分以上経過したら一旦電源を切断し、再度電源を投入してＩＤ設定操作を行なう。
【００５７】
無線リモコン側では、ＩＤ設定許可コマンドを受信すると、このコマンドを受信した、つまり、ペアリング動作が可能なことを記憶する。一方、無線リモコンの操作者は、室内機に電源が供給されたのを確認後、無線リモコンの設定モードキーと運転モードキーとを同時に押下し、設定モードへ移行する。このモードに移行すると無線リモコンは、子機記憶部１７に格納されていた無線リモコンＩＤ（共通ＩＤ）を、図３（Ｂ）に示すＩＤ設定依頼コマンドのフレームを用いて室内機側へ送信する。なお、この子機側の無線リモコンＩＤは無線リモコンの製造時点で、ユニークな値として格納されている。
【００５８】
室内機側ではＩＤ設定依頼コマンドを受信すると、子機側のＩＤ、ここでは無線リモコンＩＤを親機記憶部５に格納する。また、間欠的に送信していたＩＤ設定許可コマンドの送信を停止し、ＩＤ設定依頼コマンドを受け付けた確認としてブザーを鳴動させ、通常の動作モードへ移行する。
【００５９】
この後、無線リモコン側で通常の操作、例えば電源オンや温度設定などの操作を行なうと、無線リモコンは図３（Ｄ）に示す機器制御コマンドのフレームを室内機側へ送信する。これを受信した室内機は指示された運転データに従って空気調和機を制御する。
【００６０】
図２（Ｂ）はすでにＩＤ設定が互いの機器で終了している時、室内機側に電源が供給された場合を示す。この場合、室内機は無線リモコン側のＩＤ変更を考慮し、図２（Ａ）と同様にＩＤ設定許可コマンドのフレームを間欠送信する。
【００６１】
無線リモコン側でＩＤの変更、例えば新しい無線リモコンを使いたい場合は、図２（Ａ）と同じ手順となるが、停電などによる単なる電源の再投入であればＩＤの設定は必要ない。従って、操作者が通常の操作、例えば電源オンのキーを押下すると、無線リモコンは図３（Ｄ）に示す機器制御コマンドのフレームを室内機側へ送信する。これを受信した室内機は間欠的に送信していたＩＤ設定許可コマンドの送信を停止し、通常の動作モードへ移行し、指示された運転データに従って空気調和機を制御する。
【００６２】
次に、図１の無線通信システムにおけるＩＤ設定モードでの動作を、図７に示す各受信制御手段の動作フローチャートを用いて説明する。なお、図７（Ａ）は親機制御部での処理を示し、図７（Ｂ）は子機制御部での処理を示している。また、図７に記載のＳＴはステップを表し、これに続く数字はステップ番号を、また、ＹはＹｅｓを、ＮはＮｏをそれぞれ表している。また、この説明では子機が主体となるペアリング手順を示しており、無線リモコン側に格納されている無線リモコンＩＤを共通ＩＤとして用いる。
【００６３】
図７（Ａ）においてＡＣ電源が投入されると親機制御部５は、親機記憶部７を確認して無線リモコンのＩＤ（共通ＩＤ）が未設定であるか確認する（ＳＴ１）。無線リモコンのＩＤが未設定でない、つまり、ＩＤが設定済みであれば、強制運転スイッチがオン（冷房または暖房の位置）か確認する（ＳＴ２）。強制運転スイッチがオンでなければ（ＳＴ２−Ｎ）、通常動作モードへ移行する。
【００６４】
強制運転スイッチがオンの時（ＳＴ２−Ｙ）と、無線リモコンのＩＤが未設定の時（ＳＴ１−Ｙ）との場合はＩＤ設定モードを実施するため以下のステップを実行する。
【００６５】
次に親機制御部５は、図３（Ａ）に示すＩＤ設定許可フレームを送信する（ＳＴ３）。
【００６６】
次に、親機制御部５の動作開始、つまり、電源が投入されてから１０分間経過したか確認する（ＳＴ５）。１０分間経過した場合（ＳＴ５−Ｙ）、一旦、ＩＤ設定モードを中止して通常動作モードへ移行する。１０分間経過していない場合（ＳＴ５−Ｎ）、無線リモコンからの信号を受信したか確認する（ＳＴ６）。無線リモコンからの信号を受信していない場合（ＳＴ６−Ｎ）、ＳＴ１へジャンプする。
【００６７】
無線リモコンからの信号を受信した場合（ＳＴ６−Ｙ）、受信した信号がＩＤ設定依頼のコマンドか確認する（ＳＴ７）。受信した信号がＩＤ設定依頼のコマンドでない場合（ＳＴ７−Ｎ）、通常の機器制御コマンドであると認識し、通常動作モードへ移行する。
【００６８】
受信した信号がＩＤ設定依頼のコマンドである場合（ＳＴ７−Ｙ）、受信した無線リモコンのＩＤをペアリング相手の共通ＩＤとして親機記憶部７へ格納し（ＳＴ９）、設定確認としてブザーを鳴動させる（ＳＴ１０）。そして、通常動作モードへ移行する。
【００６９】
次に図７（Ｂ）を用いて子機制御部の処理を説明する。
【００７０】
子機制御部１５は、無線リモコンの電池が装着されると動作を開始し、まず、室内機からの受信信号があるか確認する（ＳＴ２１）。受信信号がある場合（ＳＴ２１−Ｙ）、受信信号がＩＤ設定許可フレームか確認する（ＳＴ２２）。ＩＤ設定許可フレームでない場合（ＳＴ２２−Ｎ）、入力された操作キーに従って空気調和機を運転する通常動作モードへ移行する。
【００７１】
そして、受信信号がＩＤ設定許可フレームである場合（ＳＴ２２−Ｙ）と、室内機からの受信信号がない場合（ＳＴ２１−Ｎ）とは、次に操作キー入力があるか確認する（ＳＴ２４）。操作キー入力がない場合（ＳＴ２４−Ｎ）、ＳＴ２１へジャンプする。
【００７２】
操作キー入力がある場合（ＳＴ２４−Ｙ）、入力された操作キーはＩＤ設定操作であるか確認する（ＳＴ２５）。このＩＤ設定操作とは前述したように、ＩＤ設定のためだけの操作を意味し、例えば図５で設定モードキーと運転モードキーとを同時押しする操作を示す。この操作を操作者に行なわせることにより、意図してＩＤ設定を行なっていることを確認する。なお、ＩＤ設定モード中の操作キーについては、図５における各キーの説明で括弧書き表記を参照願う。
【００７３】
そして、入力された操作キーはＩＤ設定操作でない場合（ＳＴ２５−Ｎ）、通常動作モードへ移行する。一方、ＩＤ設定操作である場合（ＳＴ２５−Ｙ）、図３（Ｂ）に示すＩＤ設定依頼コマンドのフレームを該当する室内機へ送信し（ＳＴ２９）、ＳＴ２１へジャンプする。
【００７４】
以上説明したように、ＩＤ設定を行なうためには、親機がＩＤ設定許可データを送信し、かつ、子機側で特定操作でのＩＤを設定することが必要であり、意図しないでＩＤが書き換えられることがない。また、子機側の操作としては特定キーの押下のみであり、親機や子機のＩＤを直接入力しなくても、簡単に共通ＩＤを設定できる。
【００７５】
また、この第一実施例では、無線リモコン側に予め格納されていた共通ＩＤを用いる例を説明したが、これに限るものでなく、室内機をＩＤ設定の主体とし、親機側に予め格納されていた共通ＩＤ（親機ＩＤ）を用いるようにしてもよい。例えば、図３（Ａ）のＩＤ設定許可コマンドにおいて、共通ＩＤを『なし』でなく『親機ＩＤ』とし、また、図３（Ｂ）のＩＤ設定依頼コマンドにおいて、共通ＩＤを『無線リモコン』でなく『なし』としてもよい。この場合、設定許可コマンドを受信した子機は、このコマンドに含まれる共通ＩＤの『親機ＩＤ』を共通ＩＤとして子機記憶部１７に格納し、以後、このＩＤを用いて通常モードの通信を行なう。
【００７６】
このように、親機と子機とが共通に使用する共通ＩＤを使用するため、子機、又は、親機のいずれか一方にＩＤを格納していればよく、機器の生産時に手間がかかるＩＤ管理をいづれか一方だけ行なえばいいため管理コストを低減できる。
【００７７】
また、親機に電源が投入され、かつ、親機操作部での特定操作が実施されていた場合に、ＩＤ設定許可データを送信するので、停電からの復帰時に意図しないでＩＤが書き換えられることがない。
【００７８】
さらに、親機はＩＤ設定許可データを、子機のＩＤをペアリング対象と認識するまで繰り返して送信するので、子機側の操作とのタイミングが取り易く、子機の操作が簡単である。また、ペアリング対象と認識した後はＩＤ設定許可データの送信を中止するので、誤って再度、他の機器とペアリングを行なうことを防止できる。
【実施例２】
【００７９】
この実施例では親機と子機とにそれぞれ独立したＩＤを備えている場合のペアリングについて説明する。なお、図１については、実施例１〜３で共通であるが、記憶部に格納されるデータが一部異なるため、再度詳細な説明を行なう。また、図２については各実施例で基本動作が同じであるが、送信されるデータ内容と各機器での処理内容が異なる。また、図５と図６については各実施例で共通である。
【００８０】
図１（Ａ）は室内機に備えられた制御ブロックを示す要部ブロック図である。
【００８１】
この室内機は、図示しない無線リモコンへ電波を送信する親機送信部２と、無線リモコンからの電波を受信する親機受信部３と、これらに接続されたアンテナ１と、空気調和機の状態を表示する親機表示部４と、室内機に備えられた強制運転スイッチの状態を読み取る親機操作部６と、親機のＩＤや子機のＩＤなどを記憶する親機記憶部７と、親機送信部２と親機受信部３と親機表示部４と親機操作部６と親機記憶部７とに接続され、これら全体を制御する親機制御部５とで構成されている。
【００８２】
なお、室内機全体を制御する制御部などは記載を省略しているが、親機制御部５がこの制御部と兼用されていてもよいし、親機制御部５がこの制御部と独立して存在し、シリアル通信などで結ばれていてもよい。いずれの場合も、室内機全体を制御する制御部は親機制御部５を介して無線リモコンとデータの送受が可能に構成されている。
【００８３】
親機送信部２は、親機制御部５から送られる送信データ（フレーム）を所定の周波数の電波で無線リモコンへ送信する。一方、親機受信部３は、無線リモコンから送信される所定の周波数の電波を受信し、復調した受信データ（フレーム）を親機制御部５へ出力する。
【００８４】
親機表示部４は、例えば図６の室内機の要部説明図に示すように、室内機の前面下方付近に配置されたＬＥＤによる温度の数値表示や、フィルタの清掃ランプ、電源ランプなどで構成されている。一方、親機操作部６は、親機表示部４に隣接して配置されており、無線リモコンが使用できない時に使用する強制運転スイッチ（スライドスイッチ）である。このスイッチは中央で運転の停止となり、上方にスライドすると冷房運転が、下方にスライドすると暖房運転が、それぞれ実行されるようになっている。
【００８５】
親機記憶部７には室内機で使用される親機のＩＤが、室内機の製造時点で格納されている。この親機のＩＤは他の機器と区別するためのものであり、他の機器と重複しない番号や記号のデータで構成されている。従って、データ量も多くて複雑であり、一般的には機器内部でのみ取り扱われ、人による操作では取り扱うことがない。
【００８６】
また、親機記憶部７には交信相手（空気調和機の操作指令を発する無線リモコン）のＩＤが格納され、この相手以外とは交信しないようになっている。ただし、グローバルＩＤ（グローバルアドレスともいう）もここに格納されており、このＩＤは全ての相手に対して有効なＩＤである。なお、交信相手のＩＤは室内機の製造時点では格納されておらず、室内機の設置時に相手先の無線リモコンから送信されたＩＤを取り込んで格納する。
【００８７】
親機制御部５は以上説明した各部を制御すると共に、室内機の電源供給状態、例えば空気調和機のＡＣ電源プラグがコンセントに差し込まれた、もしくは、停電から復帰したことを認識できるようになっている。
【００８８】
次に、  図１（Ｂ）に示す無線リモコンの要部ブロック図を用いて、無線リモコンの構成を説明する。
【００８９】
この無線リモコンは、図示しない室内機へ電波を送信する子機送信部１２と、室内機からの電波を受信する子機受信部１３と、これらに接続されたアンテナ１１と、空気調和機への設定状態を表示する子機表示部１４と、無線リモコンに備えられた操作キーの状態を読み取る子機操作部１６と、子機のＩＤや親機のＩＤなどを記憶する子機記憶部１７と、子機送信部１２と子機受信部１３と子機表示部１４と子機操作部１６と子機記憶部１７とに接続され、無線リモコン全体を制御する子機制御部１５とで構成されている。
【００９０】
子機送信部１２は、子機制御部１５から送られる送信データ（フレーム）を所定の周波数の電波で室内機へ送信する。一方、子機受信部１３は、室内機から送信される所定の周波数の電波を受信し、復調した受信データ（フレーム）を子機制御部１５へ出力する。
【００９１】
子機表示部１４は、例えば図４の無線リモコンの正面図に示すように、無線リモコンの正面上部付近に配置された液晶パネルを備えており、設定温度の数値表示や、暖房／冷房／除湿などの運転モードを表示するようになっている。
【００９２】
一方、子機操作部１６は、子機表示部１４の下方に配置されたキー操作部を備えており、このキー操作部内に配置された電源キー／設定モードキー／運転モード選択キー／温度設定キーを押下することにより、空気調和機を操作するようになっている。
【００９３】
また、子機操作部１６は、後述するＩＤ設定モードのための操作を行なうようになっている。通常の空気調和機の操作ではあり得ない操作、例えば、設定キーと運転モードキーとを同時に押下するとＩＤ設定モードへ移行するようになっている。このＩＤ設定モード中は電源キー以外が通常操作とは別の機能として働く。なお、この別の機能については、図４において、各キー名称の下に括弧表記で記載する。
【００９４】
子機記憶部１７には無線リモコンで使用される子機のＩＤが、無線リモコンの製造時点で格納されている。この子機のＩＤは他の機器と区別するためのものであり、他の機器と重複しない番号や記号のデータで構成されている。
【００９５】
また、子機記憶部１７には交信相手（空気調和機の室内機）のＩＤが格納され、この相手以外とは交信しないようになっている。ただし、グローバルＩＤもここに格納されている。なお、交信相手のＩＤは無線リモコンの製造時点では格納されておらず、室内機の設置時に相手先の室内機から送信されたＩＤを取り込んで格納する。
【００９６】
子機制御部１５は以上説明した各部を制御すると共に、子機操作部１６で入力した操作キーに従って子機表示部１４に表示したり、キー操作によって指定された設定温度や運転モード、電源のオン／オフなどをデータに変換し、子機送信部１２を介して室内機へ送信する。
【００９７】
図４は室内機と無線リモコンが送信するデータ（送信フレーム）の構成を説明する説明図である。各フレームは先頭から順に、送信先、フレーム種別、送信元、付加データが配置されている。また、図４（Ａ）は室内機の送信フレームを、図４（Ｂ）は無線リモコンの送信フレームをそれぞれ示すＩＤ設定時の送信データである。
【００９８】
また、図４（Ｃ）は室内機の送信フレームを、図４（Ｄ）は無線リモコンの送信フレームをそれぞれ示す通常操作時の送信データである。
【００９９】
図４（Ａ）の室内機の送信フレームは、ＩＤ設定に先立って無線リモコンに対してＩＤ設定を許可するＩＤ設定許可コマンドであり、送信先が『グローバルＩＤ』（相手先を指定しない同報送信先）、フレーム種別が『ＩＤ設定許可』、送信元が『室内機のＩＤ』になっており、付加データはない。ただし、この付加データとして確認コードを付加する場合があるが、これについては第３実施例で詳細に説明する。この送信フレームを受け取った無線リモコンは、室内機のＩＤを確認できると共に、ＩＤ設定モードへ移行することができる。
【０１００】
図４（Ｂ）の無線リモコンの送信フレームは、室内機に対して無線リモコンのＩＤ設定を依頼するＩＤ設定依頼コマンドであり、送信先が『室内機ＩＤ』、フレーム種別が『ＩＤ設定依頼』、送信元が『無線リモコンのＩＤ』になっている。また、この第一実施例では付加データはない。ただし、この付加データとして確認コードを付加する場合があるが、これについては第３実施例で詳細に説明する。
【０１０１】
この送信フレームを受け取った室内機は、無線リモコンのＩＤを親機記憶部へ格納し、以後の通信においては、このＩＤを持つ無線リモコンとのみ交信を行い、これ以外のＩＤについては無視する。
【０１０２】
図４（Ｃ）の室内機の送信フレームは、通常の空気調和機の運転において無線リモコンへ機器の状態、例えば現在の室温や外気温、湿度などを無線リモコンへ伝える状態通知コマンドであり、送信先がＩＤ設定により親機記憶部へ格納された『無線リモコンのＩＤ』、フレーム種別が空気調和機の状態変化を伝える『状態更新』、送信元が室内機のＩＤになっており、付加データは更新された『状態データ』である。この送信フレームを受け取った無線リモコンは、受信した『状態データ』を無線リモコンの表示エリアに所定のフォーマットで表示する。
【０１０３】
図４（Ｄ）の無線リモコンの送信フレームは、無線リモコンのキー操作部で指定された空気調和機の運転指示を室内機に対して指示する機器制御コマンドであり、送信先が『室内機ＩＤ』、フレーム種別が『運転指示』、送信元が『無線リモコンのＩＤ』になっている。また、付加データは指示された『運転データ』である。
【０１０４】
この送信フレームを受け取った室内機は、『運転データ』の内容に従って空気調和機を運転する。
【０１０５】
次に、以上説明した室内機と無線リモコンとを用いて、互いのＩＤを設定する方法を図２の通信説明図を用いて説明する。図２（Ａ）はＩＤ設定時の通信の流れを、図２（Ｂ）はＩＤ設定を行なわない場合の流れをそれぞれ示している。なお、これらの図は共に室内機の電源コードが電源コンセントへ差し込まれた、もしくは、差し込まれた電源コードにＡＣ電源が供給された時を示している。ＡＣ電源が供給され続けている場合はＩＤ設定を行なうことができないようになっている。これは、不用意にＩＤが書き換えられることを防止するためである。
【０１０６】
図２では左側が無線リモコン側の処理の流れを示し、右側が室内機側の処理の流れを示している。各側において上から下方向が時間の経過を示しており、左右への矢印が電波によるフレームの送信と送信方向とを示している。また、図２では本願の請求項１と対応するタイミング例を示しており、ＡＣ電源が供給された時にはＩＤ設定許可コマンドを送信するようになっている。
【０１０７】
ただし、後述する室内機側でのＡＣ電源供給前の特定操作実施を確認することにより、図２（Ｂ）に示す通常動作モードでのＡＣ電源投入時に、無駄なＩＤ設定許可コマンドの送信を抑止することができる。
【０１０８】
図２（Ａ）において室内機では室内機に電源が供給されると、室内機は、図４（Ａ）で説明したＩＤ設定許可コマンドのフレームを送信する。このフレームは間欠的に一定時間、例えば１秒おきに１０分間送信される。従って無線リモコン側ではこの間にＩＤ設定操作を行なう必要がある。もし、１０分以上経過したら一旦電源を切断し、再度電源を投入してＩＤ設定操作を行なう。
【０１０９】
無線リモコン側では、ＩＤ設定許可コマンドを受信すると、送信元のＩＤ、ここでは室内機ＩＤを子機記憶部１７に格納する。また、無線リモコンの操作者は、室内機に電源が供給されたのを確認後、無線リモコンの設定モードキーと運転モードキーとを同時に押下し、設定モードへ移行する。このモードに移行すると無線リモコンは、図４（Ｂ）に示すＩＤ設定依頼コマンドのフレームを室内機側へ送信する。
【０１１０】
室内機側ではＩＤ設定依頼コマンドを受信すると、送信元のＩＤ、ここでは無線リモコンのＩＤを親機記憶部５に格納する。また、間欠的に送信していたＩＤ設定許可コマンドの送信を停止し、ＩＤ設定依頼コマンドを受け付けた確認としてブザーを鳴動させ、通常の動作モードへ移行する。
【０１１１】
この後、無線リモコン側で通常の操作、例えば電源オンや温度設定などの操作を行なうと、無線リモコンは図４（Ｄ）に示す機器制御コマンドのフレームを室内機側へ送信する。これを受信した室内機は指示された運転データに従って空気調和機を制御する。
【０１１２】
図２（Ｂ）はすでにＩＤ設定が互いの機器で終了している時、室内機側に電源が供給された場合を示す。この場合、室内機は無線リモコン側のＩＤ変更を考慮し、図２（Ａ）と同様にＩＤ設定許可コマンドのフレームを間欠送信する。
【０１１３】
無線リモコン側でＩＤの変更、例えば新しい無線リモコンを使いたい場合は、図２（Ａ）と同じ手順となるが、停電などによる単なる電源の再投入であればＩＤの設定は必要ない。従って、操作者が通常の操作、例えば電源オンのキーを押下すると、無線リモコンは図４（Ｄ）に示す機器制御コマンドのフレームを室内機側へ送信する。これを受信した室内機は間欠的に送信していたＩＤ設定許可コマンドの送信を停止し、通常の動作モードへ移行し、指示された運転データに従って空気調和機を制御する。
【０１１４】
次に、図１の無線通信システムにおけるＩＤ設定モードでの動作を、図８に示す各受信制御手段の動作フローチャートを用いて説明する。なお、図８（Ａ）は親機制御部での処理を示し、図８（Ｂ）は子機制御部での処理を示している。また、図８に記載のＳＴはステップを表し、これに続く数字はステップ番号を、また、ＹはＹｅｓを、ＮはＮｏをそれぞれ表している。
【０１１５】
なお、図８において、点線枠で囲まれた処理は実施例３で必要となる処理であり、この実施例２では何もしないで、そのまま図８の下方向へ処理が流れるものとする。
【０１１６】
図８（Ａ）においてＡＣ電源が投入されると親機制御部５は、親機記憶部７を確認して無線リモコンのＩＤが未設定であるか確認する（ＳＴ３１）。無線リモコンのＩＤが未設定でない、つまり、ＩＤが設定済みであれば、強制運転スイッチがオン（冷房または暖房の位置）か確認する（ＳＴ３２）。強制運転スイッチがオンでなければ（ＳＴ３２−Ｎ）、通常動作モードへ移行する。
【０１１７】
強制運転スイッチがオンの時（ＳＴ３２−Ｙ）と、無線リモコンのＩＤが未設定の時（ＳＴ１−Ｙ）との場合はＩＤ設定モードを実施するため以下のステップを実行する。
【０１１８】
次に親機制御部５は、ＩＤ設定許可フレームを送信する（ＳＴ３３）。
【０１１９】
次に、親機制御部５の動作開始、つまり、電源が投入されてから１０分間経過したか確認する（ＳＴ３５）。１０分間経過した場合（ＳＴ３５−Ｙ）、一旦、ＩＤ設定モードを中止して通常動作モードへ移行する。１０分間経過していない場合（ＳＴ３５−Ｎ）、無線リモコンからの信号を受信したか確認する（ＳＴ３６）。無線リモコンからの信号を受信していない場合（ＳＴ３６−Ｎ）、ＳＴ３１へジャンプする。
【０１２０】
無線リモコンからの信号を受信した場合（ＳＴ３６−Ｙ）、受信した信号がＩＤ設定依頼のコマンドか確認する（ＳＴ３７）。受信した信号がＩＤ設定依頼のコマンドでない場合（ＳＴ３７−Ｎ）、通常の機器制御コマンドであると認識し、通常動作モードへ移行する。
【０１２１】
受信した信号がＩＤ設定依頼のコマンドである場合（ＳＴ３７−Ｙ）、受信した無線リモコンのＩＤをペアリング相手の正式なＩＤとして親機記憶部７へ格納し（ＳＴ３９）、設定確認としてブザーを鳴動させる（ＳＴ４０）。そして、通常動作モードへ移行する。
【０１２２】
次に図８（Ｂ）を用いて子機制御部の処理を説明する。
【０１２３】
子機制御部１５は、無線リモコンの電池が装着されると動作を開始し、まず、室内機からの受信信号があるか確認する（ＳＴ５１）。受信信号がある場合（ＳＴ５１−Ｙ）、このデータを子機記憶部１７へ一時格納し、次に受信信号がＩＤ設定許可フレームか確認する（ＳＴ５２）。ＩＤ設定許可フレームでない場合（ＳＴ５２−Ｎ）、入力された操作キーに従って空気調和機を運転する通常動作モードへ移行する。
【０１２４】
そして、受信信号がＩＤ設定許可フレームである場合（ＳＴ５２−Ｙ）と、室内機からの受信信号がない場合（ＳＴ５１−Ｎ）とは、次に操作キー入力があるか確認する（ＳＴ５４）。操作キー入力がない場合（ＳＴ５４−Ｎ）、ＳＴ５１へジャンプする。
【０１２５】
操作キー入力がある場合（ＳＴ５４−Ｙ）、入力された操作キーはＩＤ設定操作であるか確認する（ＳＴ５５）。このＩＤ設定操作とは前述したように、ＩＤ設定のためだけの操作を意味し、例えば図５で設定モードキーと運転モードキーとを同時押しする操作を示す。この操作を操作者に行なわせることにより、意図してＩＤ設定を行なっていることを確認する。また、この操作以降、後述するＩＤ設定依頼のフレームを送信するまで、ＩＤ設定モード中であるとして、操作キーの処理を通常の操作とは異なる取り扱いとする。なお、ＩＤ設定モード中の操作キーについては、図５における各キーの説明で括弧書き表記を参照願う。
【０１２６】
そして、入力された操作キーはＩＤ設定操作でない場合（ＳＴ５５−Ｎ）、通常動作モードへ移行する。一方、ＩＤ設定操作である場合（ＳＴ５５−Ｙ）、受信して子機記憶部１７に一時的に格納してあるＩＤ設定許可フレームに含まれる室内機ＩＤを、子機記憶部１７にペアリング相手のＩＤとして格納する（ＳＴ５８）。そして、図４（Ｂ）に示すＩＤ設定依頼コマンドのフレームを該当する室内機へ送信し（ＳＴ５９）、ＳＴ５１へジャンプする。
【０１２７】
以上説明したように、ＩＤ設定を行なうためには、親機がＩＤ設定許可データを送信し、かつ、子機側で特定操作でのＩＤを設定することが必要であり、意図しないでＩＤが書き換えられることがない。また、子機側の操作としては特定キーの押下のみであり、親機や子機のＩＤを直接入力しなくても、簡単に両方のＩＤをそれぞれ設定できる。
【０１２８】
また、親機に電源が投入され、かつ、親機操作部での特定操作が実施されていた場合に、ＩＤ設定許可データを送信するので、停電からの復帰時に意図しないでＩＤが書き換えられることがない。
【０１２９】
さらに、親機はＩＤ設定許可データを、子機のＩＤをペアリング対象と認識するまで繰り返して送信するので、子機側の操作とのタイミングが取り易く、子機の操作が簡単である。また、ペアリング対象と認識した後はＩＤ設定許可データの送信を中止するので、誤って再度、他の機器とペアリングを行なうことを防止できる。
【実施例３】
【０１３０】
次にＩＤ設定における他の実施例を説明する。実施例２では、ＩＤを設定する機器が室内機と無線リモコンとで各１台ずつの場合を説明したが、ここでは、この組合せが近接して複数存在する場合の処理について説明する。例えば、事務所のフロアなどで同時に複数台の室内機を取付・設定している場合などや、一戸建てであっても室内機や無線リモコンの電波が届く範囲に同じメーカーの機器が存在する時など、他の機器に誤ったＩＤを設定しないようにする必要がある。
【０１３１】
本実施例では意図する室内機と無線リモコンとの組合せを識別するため、確認コードを用いる。室内機でＩＤ設定のモードへ移行した時、例えば図５に示すように、通常動作では温度表示をする表示エリアで確認コードを表示させる。この確認コードは００〜９９の値からなる乱数である。乱数自体は室内機に内蔵されている時計の時刻や、外気温、室温、湿度、室外機の冷媒温度などを用いて発生させたり、また、これらの値の組合せで発生させてもよい。
【０１３２】
この確認コードは電波の届く範囲内の機器で、かつ、ＩＤ設定モード中の室内機と無線リモコンとが１組以上存在するときにこれらを区別するものである。複数の室内機が存在している場合でも、乱数により表示された確認コードはほとんど一致することがなく、この確認コードを目視した操作者が、無線リモコンを介してこの確認コードを室内機に送信し、室内機側で受信した確認コードと自室内機で発生させた確認コードの一致を確認し、一致した場合のみ互いの機器のＩＤを記憶する。以後はこのＩＤの相手とのみ交信を行なう。
【０１３３】
複数の室内機はＩＤ設定モードの時、同じ周波数でＩＤ設定許可コマンドを送信するが、間欠的な送信であるために衝突の可能性が少ない。また、仮に衝突したとしても受信側でエラーとなるだけであり、間欠的に送信される電波によっていずれかのタイミングで正しく受信できる。
【０１３４】
一般的に、室内機の親機制御部５は水晶発振子で発振させたクロックで動作しており、また、この水晶発振子の発振周波数には誤差があり、異なる親機制御部で同じプログラムを動作させても、その処理のタイミングは徐々にずれる。さらに、室内機のＡＣ電源投入からＩＤ設定許可コマンドの送信に至るまでの時間は、室内機のロジック電源の特性によりバラツキがある。従って、複数の室内機において不定期に投入されたＡＣ電源や上記のタイミングずれやバラツキにより、複数の室内機から送信されるＩＤ設定許可コマンドは無線リモコンで受信できるタイミングがある。
【０１３５】
例えば、ある室内機から送信されるＩＤ設定許可コマンドの間欠送信の間隔を１０００ミリセカンドとし、ＩＤ設定許可コマンドの送信時間を１ミリセカンドとし、このある室内機の周囲にある５台の室内機が同時にＩＤ設定モードへ移行したとしても、これらから送信される電波が衝突する可能性は２００分の１である。また、仮に衝突しても前述のように送信タイミングが徐々にずれるため、データの衝突は周期的に回避される。
【０１３６】
複数の室内機から送信されるＩＤ設定許可コマンドを無線リモコンが受信した場合、どれが本来の相手なのか判別できないため、無線リモコンは受信した全てのＩＤ設定許可コマンドに関して、このＩＤ設定許可コマンド内の室内機ＩＤと確認コードとを一時的に記憶しておく。この時、すでに記憶している確認コードを備えたフレームは受信しても無視する。従って、記憶された室内機ＩＤがペアリングの対象となる室内機ＩＤの候補となる。
【０１３７】
そして、操作者によって無線リモコンに確認コードが入力されると、記憶している確認コードから入力した確認コードと対応する室内機ＩＤを抽出する。これがペアリングの対象となる室内機ＩＤであり、これを図４（Ｂ）に示すＩＤ設定依頼コマンドで室内機へ送信する。なお、この時、入力した確認コードを付加データとして付加して送信する。
【０１３８】
これを受信した室内機は、自分が発生させた確認コードと、受信した確認コードの一致を見れば正しいペアリングの相手か判断できる。つまり、室内機が表示している確認コードを目視できる操作者が保持している無線リモコンを、正しいペアリングの相手と判断する。
【０１３９】
なお、以上の説明では室内機の確認コード表示を図６に示す温度表示を利用しているが、安価な空気調和機ではこの様な数字表示を備えておらず、図６のフィルタ清掃ランプや電源ランプのみ備えている場合が多い。この場合はそれぞれのランプの点滅回数を利用することもできる。
【０１４０】
例えばフィルタ清掃ランプを２回点滅させ、間をおいて再度２回点滅させる。これを繰り返す。また、電源ランプを３回点滅させ、間をおいて再度３回点滅させる。これを繰り返す。すると、図５に示す温度表示（確認コード）『２３』と同じ意味で『２３』の確認コードを表示できる。
【０１４１】
次に、第３実施例における図１の無線通信システムにおけるＩＤ設定モードでの動作を、図８に示す各受信制御手段の動作フローチャートを用いて説明する。なお、第２実施例で説明したステップについては説明を省略し、第３実施例特有のステップについて詳細に説明する。
【０１４２】
図８（Ａ）において親機制御部５は、ＩＤ設定モードであるかをＳＴ３１，ＳＴ３２で確認した後、ＳＴ３３でＩＤ設定許可フレームを送信したのち、確認コードを親機表示部４に表示する（ＳＴ３４）。これは前述したように、乱数で確認コードを発生させ、それを図６の温度表示、または、フィルタ清掃ランプや電源ランプで表示する。そしてＳＴ３５で室内機のＡＣ電源投入からの１０分間経過を確認する。
【０１４３】
そして、無線リモコンからの信号を確認し（ＳＴ３６−Ｙ）、受信した信号がＩＤ設定依頼である時（ＳＴ３７−Ｙ）、このフレームの付加データとして付加されている確認コードと、自室内機が発生させた確認コードとの一致を確認する（ＳＴ３８）。確認コードが一致しない場合（ＳＴ３８−Ｎ）、ＳＴ３１へジャンプして正しい確認コードの受信を待つ。確認コードが一致した場合（ＳＴ３８−Ｙ）、受信した無線リモコンのＩＤを親機記憶部７に格納する（ＳＴ３９）。そして、確認ブザーを鳴動させ、通常動作モードへ移行する。
【０１４４】
一方、図８（Ｂ）の無線リモコンにおいて子機制御部１５は、ＩＤ設定フレームの受信をＳＴ５１，ＳＴ５２で確認した（ＳＴ５２−Ｙ）後、受信したフレームを子機記憶部１７へ格納する（ＳＴ５３）。なお、前述のように、ここではＩＤ設定許可コマンドの室内機ＩＤと確認コードとだけを一時的に記憶しておいてもよい。この時、すでに記憶している確認コードを備えたフレームは無視する。
【０１４５】
そして、ＳＴ５４，ＳＴ５５で入力された操作キーがＩＤ設定用であることを確認し（ＳＴ５５−Ｙ）、さらに、確認コードを入力する（ＳＴ５６）。この確認コードは子機操作部１６の温度設定キー（確認コード設定キー）で操作者により入力される値である。この＋キーを１回押下すると温度表示（確認コード）の値が＋１され、この−キーを１回押下すると温度表示（確認コード）の値が−１される。操作者はこの操作を繰り返して室内機で表示される確認コードの値と一致させる。
【０１４６】
そして、操作者が設定モードキーを押下すると、子機制御部１５は温度表示（確認コード）に表示されている確認コードと一致する受信フレームがあるか子機記憶部１７内で検索する（ＳＴ５７）。一致する受信フレームがなければ（ＳＴ５７−Ｎ）、ＳＴ５１へジャンプし、正しい確認コードの入力を待つ。一致する受信フレームがあれば（ＳＴ５７−Ｙ）、対応する室内機ＩＤを抽出し、この室内機ＩＤをペアリングの相手として子機記憶部１７へ格納する（ＳＴ５８）。そして、図４（Ｂ）のＩＤ設定依頼コマンドを送信する（ＳＴ５９）。
【０１４７】
以上説明したように子機と親機とは、親機が生成するランダムな確認コードを互いに確認してＩＤ設定を行なうので、親機と子機とが電波の届く範囲内に複数存在したとしても、正確なペアリングを行なうことができる。
【０１４８】
また、親機がＩＤ設定許可データを間欠的に送信するので、親機と子機とが同一周波数の電波の届く範囲内に複数存在したとしても、互いの送信電波が混信するタイミングを減らすことができ、ＩＤ設定処理をスムースに行なうことができる。
【図面の簡単な説明】
【０１４９】
【図１】本発明によるＩＤ設定方法を備えた無線通信システムの実施例を示すブロック図であり、（Ａ）は室内機に備えられた親機を示し、（Ｂ）は無線リモコンに備えられた子機を示している。
【図２】室内機と無線リモコンとが互いのＩＤを設定する手順を示す基本的な通信の説明図である。
【図３】第１実施例における室内機と無線リモコンとが送信する送信フレームの構成を説明する説明図である。
【図４】第１実施例、及び第２実施例における室内機と無線リモコンとが送信する送信フレームの構成を説明する説明図である。
【図５】無線リモコンの外観を示す正面図である。
【図６】室内機の表示・操作部付近を示す模式図である。
【図７】第１実施例における制御の処理手順を示すフローチャートであり、（Ａ）は親機制御部を、（Ｂ）は子機制御部をそれぞれ示している。
【図８】第２、第３実施例における制御の処理手順を示すフローチャートであり、（Ａ）は親機制御部を、（Ｂ）は子機制御部をそれぞれ示している。
【図９】従来の受信装置を示すブロック図である。
【符号の説明】
【０１５０】
１  アンテナ
２  親機送信部
３  親機受信部
４  親機表示部
５  親機記憶部
５  親機制御部
６  親機操作部
７  親機記憶部
１１  アンテナ
１２  子機送信部
１３  子機受信部
１４  子機表示部
１５  子機制御部
１６  子機操作部
１７  子機記憶部
【図１】
2008211706.tif 000003
【図２】
2008211706.tif 000004
【図３】
2008211706.tif 000005
【図４】
2008211706.tif 000006
【図５】
2008211706.tif 000007
【図６】
2008211706.tif 000008
【図７】
2008211706.tif 000009
【図８】
2008211706.tif 000010
【図９】
2008211706.tif 000011